(57)【要約】      （修正有）【課題】ＬＥＤ発光モジュールの熱を排出する効率がさらに向上させる。【解決手段】放熱フィン２０と、熱伝導管１０と、ＬＥＤ発光モジュール３０と、ハウジング４０と、を含むＬＥＤ放熱モジュールにおいて、放熱フィンの一側には、放熱フィンを熱伝導管に挿入するための挿入部２１が設けてあり、且つ放熱フィンの他側に放熱部が設けてあり、放熱部に貫通孔２２１が複数に開設してあり、貫通孔は、放熱フィンの挿入部から他側へ行くほど直径が徐々に大きくなり、熱伝導管にはＬＥＤ発光モジュールを貼り付けるためのフラット部が設けてあり、ハウジングの内部には、放熱フィンと、熱伝導管と、ＬＥＤ発光モジュールとを収容するための収容空間４１が設けてあり、且つハウジングの収容空間の一面、又は複数の面には、放熱フィンの放熱量を向上するための貫通孔が複数に開設してあるＬＥＤ放熱モジュール。【選択図】図２
0003134275.tif 000002
【実用新案登録請求の範囲】
【請求項１】
放熱フィン（２０）と、熱伝導管（１０）と、ＬＥＤ発光モジュール（３０）と、ハウジング（４０）と、を含むＬＥＤ放熱モジュールにおいて、
前記放熱フィン（２０）の一側には、放熱フィン（２０）を熱伝導管（１０）に挿入するための挿入部（２１）が設けてあり、且つ前記放熱フィン（２０）の他側に放熱部（２２）が設けてあり、前記放熱部（２２）に貫通孔（２２１）が複数に開設してあり、前記貫通孔（２２１）は、前記放熱フィン（２０）の挿入部（２１）から他側へ行くほど直径が徐々に大きくなり、前記熱伝導管（１０）にはＬＥＤ発光モジュール（３０）を貼り付けるためのフラット部（１１）が設けてあり、前記ハウジング（４０）の内部には、放熱フィン（２０）と、熱伝導管（１０）と、ＬＥＤ発光モジュール（３０）とを収容するための収容空間（４１）が設けてあり、且つ前記ハウジング（４０）の収容空間（４１）の一面、又は複数の面には、前記放熱フィン（２０）の放熱量を向上するための貫通孔（４２）が複数に開設してあることを特徴とする、
ＬＥＤ放熱モジュール。
【請求項２】
前記熱伝導管（１０ａ）は、ハウジング（４０）の収容空間（４１）に対応した形状とすることを特徴とする、請求項１に記載のＬＥＤ放熱モジュール。
【請求項３】
前記放熱フィン（２０ａ）は、熱伝導管（１０ａ）に対応する何れかの幾何形状にしたことを特徴とする、請求項１に記載のＬＥＤ放熱モジュール。
【請求項４】
前記複数の貫通孔（２２１ｄ）を同じ直径にしたことを特徴とする、請求項１に記載のＬＥＤ放熱モジュール。
【請求項５】
前記ハウジング（４０）は液晶ディスプレーのハウジングとしたことを特徴とする、請求項１に記載のＬＥＤ放熱モジュール。
【考案の詳細な説明】
【技術分野】
【０００１】
本考案は、ＬＥＤ放熱モジュールに関するものである。
【背景技術】
【０００２】
まず、図１を参照して説明する。図１は従来のものの組み立てた状態の斜視図である。同図に示すように、従来のＬＥＤ発光モジュールＡ２０を収容空間を持つハウジングＡ１０の内部に設置する場合には、前記ハウジングＡ１０のＬＥＤ発光モジュールＡ２０を設置する箇所に、放熱効果を向上させるための長形穴Ａ１１が複数開設してある。
【考案の開示】
【考案が解決しようとする課題】
【０００３】
しかしながら、これは次のような欠点があった。
【０００４】
（イ）従来のＬＥＤ発光モジュールＡ２０が作動しているときには、発生する熱はこれらの長形穴Ａ１１により温度を下げることができない。
【０００５】
（ロ）従来のＬＥＤ発光モジュールＡ２０はハウジングＡ１０の内部に設けられるので、ＬＥＤ発光モジュールＡ２０の放熱効果が良くないと、ハウジングＡ１０全体の温度が上昇し、更に、ハウジングＡ１０全体の温度が高すぎると、ハウジングＡ１０の内部に設けられる他の素子が焼損してしまう虞がある。
【０００６】
本考案の主な目的は、ＬＥＤ発光モジュールの熱を高効率に排出可能なＬＥＤ放熱モジュールを提供することにある。
【課題を解決するための手段】
【０００７】
上記目的を達成するためになされた本願の考案は、放熱フィンと、熱伝導管と、ＬＥＤ発光モジュールと、ハウジングと、を含むＬＥＤ放熱モジュールにおいて、前記放熱フィンの一側には、放熱フィンを熱伝導管に挿入するための挿入部が設けてあり、且つ前記放熱フィンの他側に放熱部が設けてあり、前記放熱部に貫通孔が複数に開設してあり、前記貫通孔は、前記放熱フィンの挿入部から他側へ行くほど直径が徐々に大きくなり、前記熱伝導管にはＬＥＤ発光モジュールを貼り付けるためのフラット部が設けてあり、前記ハウジングの内部には、放熱フィンと、熱伝導管と、ＬＥＤ発光モジュールとを収容するための収容空間が設けてあり、且つ前記ハウジングの収容空間の一面、又は複数の面には、前記放熱フィンの放熱量を向上するための貫通孔が複数に開設してあることを特徴とするＬＥＤ放熱モジュールであることを要旨としている。
【０００８】
本願の考案では、前記熱伝導管は、ハウジングの収容空間に対応した形状であることを特徴とする請求項１に記載のＬＥＤ放熱モジュールであることを要旨としている。
【０００９】
本願の考案では、前記放熱フィンは、熱伝導管に対応した何れかの幾何形状であることを特徴とする請求項１に記載のＬＥＤ放熱モジュールであることを要旨としている。
【００１０】
本願の考案では、前記複数の貫通孔を同じ直径にしたことを特徴とする請求項１に記載のＬＥＤ放熱モジュールであることを要旨としている。
【００１１】
本願の考案では、前記ハウジングは液晶ディスプレーのハウジングであることを特徴とする請求項１に記載のＬＥＤ放熱モジュールであることを要旨としている。
【考案の効果】
【００１２】
本考案のＬＥＤ放熱モジュールによれば、次のような効果がある。
【００１３】
（イ）本考案のＬＥＤ放熱モジュールは、複数の放熱フィンが挿入された熱伝導管のフラット部にＬＥＤ発光モジュールを貼り付けることにより、ＬＥＤ発光モジュールの熱を排出する効率がさらに良くなる。
【００１４】
（ロ）本考案のハウジングの内部には、放熱フィンと、熱伝導管と、ＬＥＤ発光モジュールとを収容するための収容空間が設けてあり、且つ前記ハウジングの収容空間の一面、又は複数の面には、前記放熱フィンの放熱量を向上するための貫通孔が複数に開設してあるので、ＬＥＤ発光モジュールの放熱を排出する効率がさらに良くなる。
【考案を実施するための最良の形態】
【００１５】
以下、添付図面を参照して本考案の好適な実施の形態を詳細に説明する。
【００１６】
まず、図２、図３及び図４とを参照する。本考案のＬＥＤ放熱モジュールは、主に、放熱フィン２０と、熱伝導管１０と、ＬＥＤ発光モジュール３０と、ハウジング４０と、を含む。前記放熱フィン２０の一側には、放熱フィン２０を熱伝導管１０に挿入するための挿入部２１が設けてあり、且つ前記放熱フィン２０の他側に放熱部２２が設けてあり、前記放熱部２２には放熱フィン２０の放熱部２２の放熱効果を向上するための貫通孔２２１が複数に開設してあり、前記複数の貫通孔２２１は、図１３に示すように、同じ直径にしてもいいし、図３に示すように、前記放熱フィン２０の挿入部２１から他側へ行くほど直径を徐々に大きくしてもよく、そうすると、放熱フィン２０の放熱部２２の放熱効果がさらに向上すると共に、放熱フィン２０の作製コストを低減することもでき、且つ放熱フィン２０の挿入部２１側にある貫通孔の直径をより小さくすると、放熱フィン２０の挿入部２１の強度が増加し、また、前記熱伝導管１０にはＬＥＤ発光モジュール３０を貼り付けるためのフラット部１１が設けてあり、これにより、熱伝導管１０への熱伝導がさらに良くなる。前記ハウジング４０の内部には、放熱フィン２０と、熱伝導管１０と、ＬＥＤ発光モジュール３０とを収容するための収容空間４１が設けてあり、且つ前記ハウジング４０の収容空間４１の一面、又は複数の面には、前記放熱フィン２０の放熱量を向上させるための貫通孔４２が複数に開設してある（図２（ａ）参照）。
【００１７】
本考案のＬＥＤ放熱モジュールの組付方法は、図２と図３に示すように、複数の放熱フィン２０が挿入された熱伝導管１０のフラット部１１にＬＥＤ発光モジュール３０を貼り付けることにより、ＬＥＤ発光モジュールの放熱を排出する効率がもっと良くなり、そしてＬＥＤ発光モジュール３０と、複数の放熱フィン２０が挿入された熱伝導管１０とを一緒に収容空間４１を持つハウジング４０の内部に設置する。そうすると、ＬＥＤ発光モジュール３０がハウジング４０の内部で作動しても、発生した熱が熱伝導管１０から放熱フィン２０に伝導して外部に放出されるので、ＬＥＤ発光モジュールの熱を排出する効率がさらに良くなり、また、熱伝導管１０，１０ａ（図９乃至図１３）が収容空間４１を持つハウジング４０の内部に設置されることが必要なため、熱伝導管１０ａは、ハウジング４０の収容空間４１に対応した形状としてもよく、図９乃至図１２にも示すように、ハウジング４０は、その内部に収容空間４１が設けてあるので、液晶ディスプレーなどのハウジングに適用可能である。
【００１８】
また、図５乃至図１３は、本発明に係る放熱フィン及び熱伝導管の他の実施例を示すものであって、図５、図６、図７、図８及び図１３に示すように、本考案のＬＥＤ放熱モジュールの放熱フィン２０ａ，２０ｂ，２０ｃ，２０ｄと、その放熱部２２ａ，２２ｂ，２２ｃ，２２ｄとは、熱伝導管１０，１０ａに対応する何れかの幾何形状にしてもいいので、放熱フィン２０ａ，２０ｂ，２０ｃ，２０ｄの挿入部２１ａ，２１ｂ，２１ｃ，２１ｄは、同じ機能を有する限り、何れかの実施形態にしてもいい。
【図面の簡単な説明】
【００１９】
【図１】従来のものの組み立て状態の斜視図である。
【図２】（ａ）は本考案の分解斜視図であり、（ｂ）は本考案の放熱フィンの斜視概略図である。
【図３】本考案の組み立て状態の斜視図である。
【図４】本考案の正面図である。
【図５】（ａ）は本考案の放熱フィンの実施例２の組み立て状態の斜視図であり、（ｂ）は本考案の放熱フィンの実施例２の一部の拡大斜視図である。
【図６】本考案の放熱フィンの実施例３の分解斜視図である。
【図７】本考案の放熱フィンの実施例３の組み立て状態の斜視図である。
【図８】本考案の放熱フィンの実施例４の組み立て状態の斜視図である。
【図９】本考案の熱伝導管の実施例２の分解斜視図である。
【図１０】本考案の熱伝導管の実施例２の組み立て状態の斜視図である。
【図１１】本考案の熱伝導管の実施例２と放熱フィンの実施例２との組み立て状態の斜視図である。
【図１２】本考案の熱伝導管の実施例２と放熱フィンの実施例３との組み立て状態の斜視図である。
【図１３】本考案の熱伝導管の実施例２と放熱フィンの実施例５の組み立て状態の斜視図である。
【符号の説明】
【００２０】
１０，１０ａ      熱伝導管
２０      放熱フィン
２０ａ，２０ｂ，２０ｃ，２０ｄ    放熱フィン
２１      挿入部
２１ａ，２１ｂ，２１ｃ，２１ｄ    挿入部
２２      放熱部
２２ａ，２２ｂ，２２ｃ，２２ｄ    放熱部
３０      ＬＥＤ発光モジュール
４０      ハウジング
４１      収容空間
４２      貫通孔
２２１    貫通孔
２２１ｄ  貫通孔
Ａ１０    ハウジング
Ａ１１    長形穴
Ａ２０    ＬＥＤ発光モジュール
【図１】
0003134275.tif 000003
【図２】
0003134275.tif 000004
【図３】
0003134275.tif 000005
【図４】
0003134275.tif 000006
【図５】
0003134275.tif 000007
【図６】
0003134275.tif 000008
【図７】
0003134275.tif 000009
【図８】
0003134275.tif 000010
【図９】
0003134275.tif 000011
【図１０】
0003134275.tif 000012
【図１１】
0003134275.tif 000013
【図１２】
0003134275.tif 000014
【図１３】
0003134275.tif 000015